(57)【要約】      （修正有）【課題】コストが安く、使用後の処分が容易な合成樹脂製フィルムを用いて、花卉が倒れた場合にも水が漏れにくい、花卉包装用袋を提供する。【解決手段】表裏の合成樹脂フィルムを貼り合わせた袋本体において、使用時に袋本体の下部に溜められた水を堰き止めるための、両側から下部に向けて左右一対の下向きに傾斜した凸弧状の仕切部４、４ａを形成し、袋の下部にマチ３を形成して構成する。仕切部は、花卉が倒れたときに仕切部の下方に水が溜まり開口部から流れ出さないようにするためのものである。マチは包装用袋に溜める水の量を確保すると共に、水を入れた状態で包装用袋が自立するようにするためのものである。袋の下部を上部よりも幅狭として水の量が少なくともマチが広く開くようにするとよい。【選択図】図５
0003195073.tif 000002
【実用新案登録請求の範囲】
【請求項１】
表裏の合成樹脂フィルムを貼り合わせた袋本体において、
使用時に袋の下部に溜められた水を堰き止めるための、両側から下部に向けて左右一対の下向きに傾斜した凸弧状の仕切部が形成され、
前記袋の下部にマチが形成された、
花卉包装用袋。
【請求項２】
袋本体の下部は上部よりも幅狭とした、請求項１記載の花卉包装用袋。
【請求項３】
表裏の合成樹脂フィルムを貼り合わせた袋本体の上部内面に、二つ折りした補助フィルムが、その折り目を下にして左右縁及び上縁において袋本体に固着され、
この補助フィルムの両側から下部に向けて使用時に袋の下部に溜められた水を堰き止めるための、左右一対の下向きに傾斜した凸弧状の仕切部が形成され、
両仕切部の下端間に花卉の茎を挿通するための透孔が設けられ、
前記袋本体の下部にマチが形成された、
花卉包装用袋。
【請求項４】
花卉を挿通するための透孔は複数設けられた、請求項３に記載の花卉包装用袋。
【考案の詳細な説明】
【技術分野】
【０００１】
この考案は切り花その他の花卉を、水に浸たした状態で輸送又は運搬する際に使用される包装用袋に関するものである。
【背景技術】
【０００２】
切り花などを産地から市場へ輸送する場合、切り花に十分な水分を供給することが必要である。そこで、バケツのような容器に水を入れ、それに切り花などを挿して段ボール箱に収納して輸送することが一般的である。
しかしながら、輸送時のトラックの揺れなどによって水が容器からあふれ出ることがしばしばであり、改善が求められている。
改善策として、吸水性のある基盤に切り花などを挿す方法もあるが、基盤が比較的高価であること、安定性が悪いことなどから普及していない。
【０００３】
切り花などの輸送に特化した包装用袋として、例えば特開２００８−８１１５４号の考案が提案されている。この考案は外装フィルムの内側に保水性を有する内装材を装着したものであり、袋の中に水を蓄えることを目的としたものではない。
【特許文献１】特開２００８−８１１５４号公報
【０００４】
水がこぼれにくい容器として、特開２００５−２２５５３４号の考案が提案されている。この考案は、容器の口部にロート状をなす仕切部を形成することを特徴とするものであるが、容器本体はプラスチック製など剛性のあるものが予定されており、フィルム製容器に対応できるものではない。
【特許文献２】特開２００５−２２５５３４号公報
【考案の開示】
【考案が解決しようとする課題】
【０００５】
この考案は、コストが安く、使用後の処分が容易な合成樹脂製フィルムを用いて、花卉が倒れた場合にも水が漏れにくい、花卉包装用袋を得ることを課題とするものである。
【課題を解決するための手段】
【０００６】
請求項１の花卉包装用袋は、表裏の合成樹脂フィルムを貼り合わせた袋本体において、両側から下部に向けて使用時に袋本体の下部に溜められた水を堰き止めるための左右一対の下向きに傾斜した凸弧状の仕切部を形成し、前記袋の下部にマチを形成して構成する。
前記仕切部は、花卉が倒れたときに仕切部の下方に水が溜まり開口部から流れ出さないようにするためのものである。したがって、仕切部の傾斜角度、上下の距離などは包装用袋に溜める水の量を勘案して決定するものである。また一対の仕切部下端の間隔は、収納する花卉の茎部分の大きさを勘案して決定する。
前記マチは包装用袋に溜める水の量を確保すると共に、水を入れた状態で包装用袋が自立するようにするためのものである。したがって、比較的少ない水で足りる場合は、袋の下部を上部よりも幅狭として水の量が少なくともマチが広く開くようにするとよい（請求項２）。
【０００７】
請求項３の花卉包装用袋は、袋本体の上部に仕切を設け下部にマチを設けた点で請求項１の考案と共通するが、仕切部を袋本体の内側に装着した補助フィルムに形成した点において異なる。
すなわち、表裏の合成樹脂フィルムを貼り合わせた袋本体の上部内面に、二つ折りした補助フィルムを、その折り目を下にして左右縁及び上縁において袋本体に固着し、この補助フィルムの両側から下部に向けて使用時に袋の下部に溜められた水を堰き止めるための左右一対の下向きに傾斜した凸弧状の仕切部を形成し、両仕切部の下端間に花卉の茎を挿通するための透孔を設け、前記袋本体の下部にマチを形成して花卉包装用袋を構成する。
前記花卉を挿通するための透孔は複数設けることが好ましい（請求項４）。
【考案の効果】
【０００８】
この考案によれば以下の効果を得ることができる。
ア）袋本体の下部にマチが設けてあるので、袋に水を溜めるとマチが自動的に広がり、袋が自立する。
イ）袋本体に凸弧状の仕切部を設けたので、包装用袋が使用中に左右方向に倒れた場合、包装用袋に溜められている水は凸弧状の仕切部で堰き止められる。したがって、水が開口部から漏れにくい。
ウ）請求項３の考案によれば、補助フィルムを設けたので、使用時には補助フィルムが広がり水を堰き止める。そのために、左右方向のみならず前後方向に倒れた場合であっても水の漏れを防止することができる。
【考案を実施するための最良の形態】
【０００９】
以下この考案の実施例を説明する。
【参考例１】
【００１０】
図１、図２において、合成樹脂製フィルム１を折り返して左右の縁２，２ａを接合して袋本体としてあり、下部は二重に折り返してマチ３を形成してある。そして、前記左右の縁２、２ａから前記マチ３の上端部に向けて、下向きに傾斜した左右一対の仕切部４，４ａが設けてあり、両仕切部４、４ａの下端間には切り花の茎５を挿通するために透孔６となっている。前記仕切部４、４ａは表裏のフィルムを接合して形成する。
前記袋本体の上端開口部７にはフィルム１を折り返して紐通し部８が環状に形成してあり、内部に紐９が装着してある。前記開口部７には抉り部１０が設けてあり、この抉り部１０において紐９が露出している。
【００１１】
以上のように構成された包装容器Ａを使用するときは、まず開口部７から所定量の水を入れる。水を入れると自動的にマチ３が広がり自立可能となる。ついで開口部から切り花の茎５を差し込み、透孔６を通過させて下部を水１１に漬ける。最後に紐を締めて開口部７を閉じる。
この状態で段ボール箱に梱包するが、段ボール箱の内側に係止部（フックや切れ込み）を設けておけば、紐９を係止部に係止させることにより段ボール箱への梱包状態を安定させることができる。なお、紐９を備えることは必須でなく、開口部を閉じるために別途紐を用意してもよい。
【００１２】
切り花の輸送中に車の振動で段ボール箱が倒れたり、作業者が段ボール箱を横向きにおいてしまう危険性があるが、段ボール箱が横向きになったときでも図１における左右方向への倒れであれば、仕切部４、４ａの機能によって水が漏れることがない。すなわち、図４に示すように横向き状態において、容器内の水１１は仕切部４，４ａによって流れが堰き止められ、仕切部よりも開口部側へ流れ出ることがない。
【実施例１】
【００１３】
図５は、上記図１の参考例を変形した実施例であり、マチ３の左右幅を上部の左右幅よりも狭くしたものである。このようにすることにより、比較的少量の水でもマチ３が開き、包装容器Ａを自立させることができる。
この実施例においては、仕切部４，４ａ及び袋本体１の側縁下部を円弧状としてある。このことによりフィルムの突っ張りが防止され、挿通した際に切り花が安定し、かつ転倒時に水が仕切部の下方に流入しやすくなる。
なお、この実施例においては左右方向への転倒のみに対応しているが、一般に段ボール箱は直方体であって転倒しやすい方向はあらかじめ決まっている。したがって、その方向を考慮して段ボール箱に梱包するようにすれば、左右方向のみへの対応によって十分実用に耐えるものである。
【参考例２】
【００１４】
図６，図７において、前記参考例１と同様、合成樹脂製フィルム１を折り返して左右の縁２，２ａを接合して袋本体としてあり、下部は二重に折り返してマチ３を形成してある。なお、接合された縁２，２ａの上方の台形部分は縁を接合していないが、接合してもよい。
【００１５】
前記袋本体の縁２、２ａが接合されている部分において、内側に補助フィルム１５が接合してある。この補助フィルム１５は１枚のフィルムを折り返し、折り返し部を下にして、上縁及び左右縁をフィルム１に接合してある。補助フィルム１５の折り返し上下寸法は、水の量を考慮して決定する。
そして、前記左右の縁２、２ａから前記マチ３の上端部に向けて、下向きに傾斜した左右一対の仕切部４、４ａが設けてある。前記仕切部４、４ａは表裏のフィルム及び補助フィルムを接合して形成してあるが、補助フィルムのみ接合して形成してもよい。
前記補助フィルムの折り返し部分には切り花の茎を挿通するために３つの透孔６，６ａ，６ｂが設けてある。
図中１６は段ボールに梱包する際に使用する係止孔である。
【００１６】
この参考例の包装用袋Ｂの使用方法は参考例１と同じである。
転倒時において、図６中左右方向に転倒した場合に仕切部４，４ａが水を堰き止め、開口部からの流出を防止する点も、参考例１と同じである。そして、この参考例においては図６中前後方向に転倒した場合も水を堰き止めることができる。
すなわち、補助フィルム１５が堰として機能することとなる（図９参照）。
補助フィルム１５が堰として機能するためには、切り花の包装時に補助フィルム１５が図９に示すように広がる必要がある。この参考例のように透孔６を複数設けると、開口部７を広げたときに補助フィルムが全幅にわたり広がりやすい。透孔の間のフィルムによってブリッジ効果が得られるためと思われる。
尤も、透孔は一つでもよい。
【参考例３】
【００１７】
図１０、図１１の参考例は、上記参考例２における補助フィルム１５を追加することなく、参考例２と同様に前後左右何れの向きへの転倒にも対応できるようにしたものである。
すなわち、合成樹脂フィルム１の両面上部の外側に折り返し部２１、２１ａを形成し、この折り返し部に堰としての機能を持たせたものである。
この参考例においては、仕切部４、４ａ及び折り返し部２１、２１ａによって水が堰き止められ流れ出ることがない。
【産業上の利用可能性】
【００１８】
この考案によれば、簡易な構造の合成樹脂フィルムによって、水漏れを可及的に防止できる花卉包装袋を構成したので、花卉の輸送、運搬に寄与しうるものである。
【図面の簡単な説明】
【００１９】
【図１】参考例１の正面
【図２】同じく断面図
【図３】同じく使用状態図
【図４】同じく転倒時の説明図
【図５】実施例１の正面図
【図６】参考例２の正面図
【図７】同じく断面図
【図８】同じく使用状態図
【図９】同じく転倒時の説明図
【図１０】参考例３の正面図
【図１１】同じく断面図
【図１２】転倒時の説明図
【符号の説明】
【００２０】
Ａ、Ｂ、Ｃ 包装用袋
１ 合成樹脂フィルム
２、２ａ 縁
３ マチ
４、４ａ 仕切部
５ 切り花の茎
６ 透孔
７ 開口部
８ 紐通し
９ 紐
１０ 抉り部
１１ 水
１５ 補助フィルム
２１、２１ａ 折り返し部
【図１】
0003195073.tif 000003
【図２】
0003195073.tif 000004
【図３】
0003195073.tif 000005
【図４】
0003195073.tif 000006
【図５】
0003195073.tif 000007
【図６】
0003195073.tif 000008
【図７】
0003195073.tif 000009
【図８】
0003195073.tif 000010
【図９】
0003195073.tif 000011
【図１０】
0003195073.tif 000012
【図１１】
0003195073.tif 000013
【図１２】
0003195073.tif 000014